(57)【要約】  本開示のいくつかの態様は、PUSCH上のUCIピギーバックに対するREマッピングルールに関連する方法および装置に関する。たとえば、方法は、物理アップリンク共有チャネル(PUSCH)送信内の肯定応答(ACK)情報を送信するために使用するためのアップリンクリソースのセットを決定するステップであって、決定はACK情報のペイロードサイズに少なくとも部分的に基づく、ステップと、アップリンクリソースの決定されたセットを使用してACK情報を送信するステップとを含み得る。
2020533873.tif 000002
【特許請求の範囲】
【請求項１】
ユーザ機器(UE)によるワイヤレス通信のための方法であって、
物理アップリンク共有チャネル(PUSCH)送信内のアップリンク制御情報(UCI)を送信するために使用するためのアップリンクリソースのセットを決定するステップであって、前記決定は前記UCIのペイロードサイズに少なくとも部分的に基づく、ステップと、
アップリンクリソースの前記決定されたセットを使用して前記UCIを送信するステップと
を含む、方法。
【請求項２】
前記UCIが、肯定応答(ACK)情報を含む、請求項1に記載の方法。
【請求項３】
前記決定が、前記ペイロードサイズに依存するマッピングルールに基づく、請求項2に記載の方法。
【請求項４】
前記マッピングルールが、
最大で2ビットのACK情報を、時間および周波数において分散されたリソース要素(RE)にマッピングするステップを伴う、請求項3に記載の方法。
【請求項５】
前記マッピングルールが、
ランク情報(RI)と一緒に符号化された3ビット以上のACK情報を、復調基準信号(DMRS)に近接しているREにマッピングするステップを伴う、請求項3に記載の方法。
【請求項６】
前記決定が、ACK情報およびチャネル状態情報(CSI)のビットを直交リソースにマッピングするマッピングルールに基づく、請求項1に記載の方法。
【請求項７】
前記CSIが第1の部分および第2の部分を含み、
前記第1の部分が前記直交リソースにマッピングされ、
前記ACK情報が前記第2の部分のみをパンクチャリングする、請求項6に記載の方法。
【請求項８】
前記決定が、前記UCIに対して利用可能なリソースの量を決定するために使用されるオフセット値に基づき、
前記オフセット値が動的に選択される、請求項1に記載の方法。
【請求項９】
前記オフセット値が、静的にまたは半静的に前記UEにシグナリングされたオフセット値のセットから動的に選択される、請求項8に記載の方法。
【請求項１０】
チャネル品質インジケータ(CQI)、プリコーディング行列インジケータ(PMI)、またはビーム情報のうちの少なくとも1つから別個にランク情報(RI)を符号化するステップと、
前記別個に符号化されたRI、およびCQI、PMI、またはビーム情報を前記PUSCH送信内で送信するステップと
をさらに含む、請求項1に記載の方法。
【請求項１１】
アップリンクリソースの前記決定されたセットの表示を、復調基準信号(DMRS)送信を介してシグナリングするステップをさらに含む、請求項1に記載の方法。
【請求項１２】
リソースの前記決定されたセットの表示を、復調基準信号(DMRS)送信を介してシグナリングするステップが、
リソースの第1のセットを示すために第1のDMRSシーケンスを送信するステップ、または
リソースの第2のセットを示すために第2のDMRSシーケンスを送信するステップ
を含む、請求項11に記載の方法。
【請求項１３】
前記第1のDMRSシーケンスおよび前記第2のDMRSシーケンスが、相補シーケンスを含む、請求項12に記載の方法。
【請求項１４】
アップリンクリソースの前記セットの決定が、アップリンク許可のために使用されるダウンリンク制御情報(DCI)フォーマットのタイプに基づく、請求項1に記載の方法。
【請求項１５】
前記UCIが肯定応答(ACK)情報を含み、
DCIフォーマットの少なくとも1つのタイプが、前記UEがアップリンクリソースの前記決定されたセットを使用して送るべきACK情報ビットの数の表示を含む、請求項1に記載の方法。
【請求項１６】
アップリンク許可がダウンリンク許可情報も含み、
前記ダウンリンク許可情報に基づいて前記ACK情報ビットをどのように利用するかを決定または確認するステップをさらに含む、請求項15に記載の方法。
【請求項１７】
前記ダウンリンク許可情報が、ランク、コードブロックグループ(CBG)ベースの送信の表示、またはトランスポートブロック(TB)ベースの送信の表示のうちの少なくとも1つを含む、請求項16に記載の方法。
【請求項１８】
どのACK情報ビットがどのダウンリンク許可を肯定応答するために使用されるかの表示を、前記UCIの送信内に含めるステップをさらに含む、請求項15に記載の方法。
【請求項１９】
ユーザ機器(UE)によるワイヤレス通信のための装置であって、
物理アップリンク共有チャネル(PUSCH)送信内のアップリンク制御情報(UCI)を送信するために使用するためのアップリンクリソースのセットを決定するための手段であって、前記決定は前記UCIのペイロードサイズに少なくとも部分的に基づく、手段と、
アップリンクリソースの前記決定されたセットを使用して前記UCIを送信するための手段と
を含む、装置。
【請求項２０】
前記UCIが肯定応答(ACK)情報を含み、
前記決定が、前記ペイロードサイズに依存するマッピングルールに基づき、
前記マッピングルールが、最大で2ビットのACK情報を、時間および周波数において分散されたリソース要素(RE)にマッピングするための手段を伴う、請求項19に記載の装置。
【請求項２１】
マッピングルールが、ランク情報(RI)と一緒に符号化された3ビット以上のACK情報を、復調基準信号(DMRS)に近接しているREにマッピングするための手段を伴う、請求項19に記載の装置。
【請求項２２】
前記決定が、ACK情報およびチャネル状態情報(CSI)のビットを直交リソースにマッピングするマッピングルールに基づき、
前記CSIが第1の部分および第2の部分を含み、
前記第1の部分が前記直交リソースにマッピングされ、前記ACK情報が前記第2の部分のみをパンクチャリングする、請求項19に記載の装置。
【請求項２３】
前記決定が、前記UCIに対して利用可能なリソースの量を決定するために使用されるオフセット値に基づき、
前記オフセット値が動的に選択され、
前記オフセット値が、静的にまたは半静的に前記UEにシグナリングされたオフセット値のセットから動的に選択される、請求項19に記載の装置。
【請求項２４】
チャネル品質インジケータ(CQI)、プリコーディング行列インジケータ(PMI)、またはビーム情報のうちの少なくとも1つから別個にランク情報(RI)を符号化するための手段と、
前記別個に符号化されたRI、およびCQI、PMI、またはビーム情報を前記PUSCH送信内で送信するための手段と
をさらに含む、請求項19に記載の装置。
【請求項２５】
アップリンクリソースの前記決定されたセットの表示を、復調基準信号(DMRS)送信を介してシグナリングするための手段をさらに含む、請求項19に記載の装置。
【請求項２６】
リソースの前記決定されたセットの表示を、復調基準信号(DMRS)送信を介してシグナリングするための手段が、
リソースの第1のセットを示すために第1のDMRSシーケンスを送信するための手段、または
リソースの第2のセットを示すために第2のDMRSシーケンスを送信するための手段
を含み、
前記第1のDMRSシーケンスおよび前記第2のDMRSシーケンスが、相補シーケンスを含む、請求項25に記載の装置。
【請求項２７】
アップリンクリソースの前記セットの前記決定が、アップリンク許可のために使用されるダウンリンク制御情報(DCI)フォーマットのタイプに基づく、請求項19に記載の装置。
【請求項２８】
前記UCIが肯定応答(ACK)情報を含み、
DCIフォーマットの少なくとも1つのタイプが、前記UEがアップリンクリソースの前記決定されたセットを使用して送るべきACK情報ビットの数の表示を含む、請求項19に記載の装置。
【請求項２９】
アップリンク許可がダウンリンク許可情報を含み、
前記装置が、前記ダウンリンク許可情報に基づいて前記ACK情報ビットをどのように利用するかを決定するための手段または確認するための手段をさらに含み、
前記ダウンリンク許可情報が、ランク、コードブロックグループ(CBG)ベースの送信の表示、またはトランスポートブロック(TB)ベースの送信の表示のうちの少なくとも1つを含む、請求項28に記載の装置。
【請求項３０】
どのACK情報ビットがどのダウンリンク許可を肯定応答するために使用されるかの表示を、前記UCIの送信内に含めるための手段をさらに含む、請求項28に記載の装置。
【請求項３１】
ユーザ機器(UE)によるワイヤレス通信のための命令を記憶した非一時的コンピュータ可読記録媒体であって、前記命令が、
物理アップリンク共有チャネル(PUSCH)送信内のアップリンク制御情報(UCI)を送信するために使用するためのアップリンクリソースのセットを決定することであって、前記決定は前記UCIのペイロードサイズに少なくとも部分的に基づく、決定することと、
アップリンクリソースの前記決定されたセットを使用して前記UCIを送信することと
を行うための命令である、非一時的コンピュータ可読記録媒体。
【請求項３２】
ユーザ機器(UE)によるワイヤレス通信のための装置であって、
物理アップリンク共有チャネル(PUSCH)送信内のアップリンク制御情報(UCI)を送信するために使用するためのアップリンクリソースのセットを決定するように構成された少なくとも1つのプロセッサであって、前記決定は前記UCIのペイロードサイズに少なくとも部分的に基づく、少なくとも1つのプロセッサと、
アップリンクリソースの前記決定されたセットを使用して前記UCIを送信するように構成された送信機と
を備える、装置。
【発明の詳細な説明】
【技術分野】
【０００１】
関連出願の相互参照
本出願は、本出願の譲受人に譲渡され、参照により本明細書に明確に組み込まれる、2017年9月11日に出願した米国仮特許出願第62/557,088号および2017年9月15日に出願した米国仮特許出願第62/559,464号の利益を主張する、2018年9月7日に出願した米国出願第16/125,011号の優先権を主張する。
【０００２】
本開示は、一般に、通信システムに関し、より詳細には、物理アップリンク共有チャネル(PUSCH)上のアップリンク制御情報(UCI)ピギーバックに対するリソース(RE)マッピングルールに関連する方法および装置に関する。
【背景技術】
【０００３】
ワイヤレス通信システムは、電話、ビデオ、データ、メッセージング、およびブロードキャストなどの、様々な電気通信サービスを提供するために広く展開されている。一般のワイヤレス通信システムは、利用可能なシステムリソース(たとえば、帯域幅、送信電力)を共有することによって複数のユーザとの通信をサポートすることが可能な多元接続技術を採用し得る。そのような多元接続技術の例は、ロングタームエボリューション(LTE)システム、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
いくつかの例では、ワイヤレス多元接続通信システムは、ユーザ機器(UE)としても知られている複数の通信デバイスのための通信を各々が同時にサポートする、いくつかの基地局を含み得る。LTEまたはLTE-Aネットワークでは、1つまたは複数の基地局のセットがeノードB(eNB)を定義してよい。他の例では(たとえば、次世代または5Gネットワークでは)、ワイヤレス多元接続通信システムは、いくつかの集約ユニット(CU)(たとえば、中央ノード(CN)、アクセスノードコントローラ(ANC)など)と通信するいくつかの分散ユニット(DU)(たとえば、エッジユニット(EU)、エッジノード(EN)、無線ヘッド(RH)、スマート無線ヘッド(SRH)、送信受信ポイント(TRP)など)を含んでよく、集約ユニットと通信する1つまたは複数の分散ユニットのセットがアクセスノード(たとえば、ニューラジオ基地局(NR BS:new radio base station)、ニューラジオノードB(NR NB:new radio node-B)、ネットワークノード、5G NB、eNBなど)を定義してよい。基地局またはDUは、(たとえば、基地局から、またはUEへの送信のための)ダウンリンクチャネルおよび(たとえば、UEから基地局または分散ユニットへの送信のための)アップリンクチャネル上でUEのセットと通信してよい。
【０００５】
これらの多元接続技術は、異なるワイヤレスデバイスが都市、国家、地域、さらには地球規模で通信することを可能にする共通プロトコルを提供するために、様々な電気通信規格において採用されている。新生の電気通信規格の一例は、ニューラジオ(NR)、たとえば、5G無線アクセスである。NRは、第3世代パートナーシッププロジェクト(3GPP)によって公表されたLTEモバイル規格に対する拡張のセットである。それは、スペクトル効率を改善し、コストを削減し、サービスを改善し、新しいスペクトルを利用し、またダウンリンク(DL)およびアップリンク(UL)上でOFDMAをサイクリックプレフィックス(CP)とともに使用する他のオープン規格とよりうまく統合することによって、モバイルブロードバンドインターネットアクセスをよりうまくサポートし、ならびにビームフォーミング、多入力多出力(MIMO)アンテナ技術、およびキャリアアグリゲーションをサポートするように設計されている。
【発明の概要】
【発明が解決しようとする課題】
【０００６】
しかしながら、モバイルブロードバンドアクセスに対する需要が増大し続けるにつれて、NR技術におけるさらなる改善が望まれる。好ましくは、これらの改善は、他の多元接続技術、およびこれらの技術を用いる電気通信規格に適用可能であるべきである。
【課題を解決するための手段】
【０００７】
本開示のシステム、方法、およびデバイスはそれぞれ、いくつかの態様を有し、それらのうちの単一の態様だけが、その望ましい属性を担うわけではない。以下の特許請求の範囲によって表される本開示の範囲を限定することなく、いくつかの特徴についてここで簡潔に説明する。この説明を考慮した後、また特に「発明を実施するための形態」と題するセクションを読んだ後、本開示の特徴が、ワイヤレスネットワークにおけるアクセスポイントと局との間の改善された通信を含む利点をどのようにもたらすかが理解されよう。
【０００８】
態様は、一般に、添付の図面を参照しながら本明細書で十分に説明され、添付の図面によって示される、方法、装置、システム、コンピュータ可読媒体、および処理システムを含む。
【０００９】
いくつかの態様は、ワイヤレス通信のための方法を提供する。方法は、一般に、物理アップリンク共有チャネル(PUSCH)送信内のアップリンク制御情報(UCI)を送信するために使用するためのアップリンクリソースのセットを決定するステップであって、決定はUCIのペイロードサイズに少なくとも部分的に基づく、ステップと、アップリンクリソースの決定されたセットを使用してUCIを送信するステップとを含む。
【００１０】
いくつかの態様は、ユーザ機器(UE)によるワイヤレス通信のための装置を提供する。装置は、一般に、物理アップリンク共有チャネル(PUSCH)送信内のアップリンク制御情報(UCI)を送信するために使用するためのアップリンクリソースのセットを決定するための手段であって、決定はUCIのペイロードサイズに少なくとも部分的に基づく、手段と、アップリンクリソースの決定されたセットを使用してUCIを送信するための手段とを含む。
【００１１】
いくつかの態様は、その上に記憶された命令を有するユーザ機器(UE)によるワイヤレス通信のための非一時的コンピュータ可読媒体を提供する。その上に記憶された命令は、物理アップリンク共有チャネル(PUSCH)送信内のアップリンク制御情報(UCI)を送信するために使用するためのアップリンクリソースのセットを決定することであって、決定はUCIのペイロードサイズに少なくとも部分的に基づく、決定することと、アップリンクリソースの決定されたセットを使用してUCIを送信することとを含む。
【００１２】
いくつかの態様は、ユーザ機器(UE)によるワイヤレス通信のための装置を提供する。装置は、一般に、物理アップリンク共有チャネル(PUSCH)送信内のアップリンク制御情報(UCI)を送信するために使用するためのアップリンクリソースのセットを決定するように構成された少なくとも1つのプロセッサであって、決定はUCIのペイロードサイズに少なくとも部分的に基づく、少なくとも1つのプロセッサと、アップリンクリソースの決定されたセットを使用してUCIを送信するように構成された送信機とを含む。
【００１３】
上記の目的および関係する目的を達成するために、1つまたは複数の態様は、以下で十分に説明され、特に特許請求の範囲で指摘される特徴を含む。以下の説明および添付の図面は、1つまたは複数の態様のいくつかの例示的な特徴を詳細に記載する。しかしながら、これらの特徴は、様々な態様の原理が利用され得る様々な方法のほんのいくつかを示すものであり、この説明は、すべてのそのような態様およびそれらの均等物を含むものである。
【００１４】
本開示の上記の特徴が詳細に理解され得るように、上記で簡単に要約したより具体的な説明が、態様を参照することによって行われることがあり、態様のうちのいくつかは添付の図面に示される。しかしながら、本説明は他の等しく効果的な態様に通じ得るので、添付の図面が、本開示のいくつかの典型的な態様のみを示し、したがって、本開示の範囲を限定するものと見なされるべきではないことに留意されたい。
【図面の簡単な説明】
【００１５】
【図１】本開示のいくつかの態様による、例示的な電気通信システムを概念的に示すブロック図である。
【図２】本開示のいくつかの態様による、分散型RANの例示的な論理アーキテクチャを示すブロック図である。
【図３】本開示のいくつかの態様による、分散型RANの例示的な物理アーキテクチャを示す図である。
【図４】本開示のいくつかの態様による、例示的なBSおよびユーザ機器(UE)の設計を概念的に示すブロック図である。
【図５】本開示のいくつかの態様による、通信プロトコルスタックを実装するための例を示す図である。
【図６】本開示のいくつかの態様による、ニューラジオ(NR)システムに対するフレームフォーマットの一例を示す図である。
【図７Ａ】本開示のいくつかの態様による、例示的なアップリンク構造を示す図である。
【図７Ｂ】本開示のいくつかの態様による、例示的なダウンリンク構造を示す図である。
【図８】本開示のいくつかの態様による、ユーザ機器(UE)によるワイヤレス通信のための例示的な動作を示す図である。
【図８Ａ】図8に示す動作を実行することが可能な例示的な構成要素を示す図である。
【図９】本開示のいくつかの態様による、1ビットまたは2ビットのACKを有するPUSCH上のUCIに対するリソースマッピングを示す図である。
【図１０】本開示のいくつかの態様による、3ビット以上のACKを有するPUSCH上のUCIに対するリソースマッピングを示す図である。
【図１１】本開示の態様による、本明細書で説明する技法に対する動作を実行するように構成された様々な構成要素を含み得る通信デバイスを示す図である。
【発明を実施するための形態】
【００１６】
理解を容易にするために、可能な場合、図に共通する同一の要素を示すために、同一の参照番号が使用されている。特定の具陳なしに、一態様において説明する要素が他の態様において有利に利用され得ることが企図される。
【００１７】
本開示の態様は、PUSCH上のUCIピギーバックに対するREマッピングルールに関連する方法および装置に関する。本開示の態様は、ニューラジオ(NR)(ニューラジオアクセス技術または5G技術)のための装置、方法、処理システム、およびコンピュータ可読媒体を提供する。
【００１８】
NRは、拡張モバイルブロードバンド(eMBB:Enhanced mobile broadband)ターゲットの広い帯域幅(たとえば、80MHzを越える)、ミリ波(mmW:millimeter wave)ターゲットの高いキャリア周波数(たとえば、27GHzまたはそれを越える)、マッシブMTC(mMTC:massive MTC)ターゲットの後方互換性のないMTC技法、および/またはミッションクリティカルターゲットの超高信頼低レイテンシ通信(URLLC:ultra reliable low latency communication)などの、様々なワイヤレス通信サービスをサポートし得る。これらのサービスは、レイテンシ要件および信頼性要件を含み得る。これらのサービスはまた、それぞれのサービス品質(QoS)要件を満たすための異なる送信時間間隔(TTI)を有し得る。加えて、これらのサービスは、同じサブフレームにおいて共存し得る。
【００１９】
以下の説明は例を提供するものであり、特許請求の範囲に記載される範囲、適用可能性、または例を限定するものではない。本開示の範囲から逸脱することなく、説明する要素の機能および構成に変更が加えられてよい。様々な例は、様々な手順または構成要素を適宜に省略してよく、置換してよく、または追加してよい。たとえば、説明する方法は、説明する順序とは異なる順序で実行されてよく、様々なステップが追加されてよく、省略されてよく、または組み合わせられてよい。また、いくつかの例に関して説明する特徴が、いくつかの他の例では組み合わせられてよい。たとえば、本明細書に記載される任意の数の態様を使用して、装置が実装されてよく、または方法が実践されてよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で説明する本開示のいずれの態様も、請求項の1つまたは複数の要素によって具現化され得ることを理解されたい。「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。
【００２０】
本明細書で説明する技法は、LTE、CDMA、TDMA、FDMA、OFDMA、SC-FDMA、および他のネットワークなどの、様々なワイヤレス通信ネットワークに使用され得る。「ネットワーク」および「システム」という用語は、しばしば、互換的に使用される。CDMAネットワークは、ユニバーサル地上無線アクセス(UTRA)、cdma2000などの無線技術を実装し得る。UTRAは、広帯域CDMA(WCDMA(登録商標))、およびCDMAの他の変形を含む。cdma2000は、IS-2000規格、IS-95規格、およびIS-856規格を対象とする。TDMAネットワークは、モバイル通信用グローバルシステム(GSM(登録商標))などの無線技術を実装し得る。OFDMAネットワークは、NR(たとえば、5G RA)、発展型UTRA(E-UTRA)、ウルトラモバイルブロードバンド(UMB)、IEEE 802.11(Wi-Fi)、IEEE 802.16(WiMAX)、IEEE 802.20、Flash-OFDMAなどの無線技術を実装し得る。UTRAおよびE-UTRAは、ユニバーサルモバイルテレコミュニケーションシステム(UMTS)の一部である。ニューラジオ(NR)(たとえば、5G無線アクセス)は、新生の電気通信規格の一例である。詳細には、NRは、5G技術フォーラム(5GTF)とともに開発中の新しく出現したワイヤレス通信技術である。NRは、3GPPによって公表されたLTEモバイル規格に対する拡張のセットである。3GPPロングタームエボリューション(LTE)およびLTEアドバンスト(LTE-A)は、E-UTRAを使用するUMTSのリリースである。UTRA、E-UTRA、UMTS、LTE、LTE-AおよびGSM(登録商標)は、「第3世代パートナーシッププロジェクト」(3GPP)と称する団体による文書に記載されている。cdma2000およびUMBは、「第3世代パートナーシッププロジェクト2」(3GPP2)と称する団体の文書に記載されている。本明細書で説明する技法は、上述のワイヤレスネットワークおよび無線技術、ならびに他のワイヤレスネットワークおよび無線技術に使用され得る。明確にするために、本明細書では一般に3Gおよび/または4Gワイヤレス技術に関連する用語を使用して態様が説明されることがあるが、本開示の態様は、NR技術を含めて、5G以降のものなどの他の世代ベースの通信システムにおいて適用され得る。
【００２１】
例示的なワイヤレス通信システム
図1は、本開示の態様が実行され得る、ニューラジオ(NR)または5Gネットワークなどの、例示的なワイヤレスネットワーク100を示す。
【００２２】
図1に示すように、ワイヤレスネットワーク100は、いくつかのBS110と他のネットワークエンティティとを含み得る。BSは、UEと通信する局であり得る。各BS110は、特定の地理的エリアに通信カバレージを提供し得る。3GPPでは、「セル」という用語は、この用語が使用される状況に応じて、このカバレージエリアにサービスしているノードBおよび/またはノードBサブシステムのカバレージエリアを指すことがある。NRシステムでは、「セル」およびeNB、ノードB、5G NB、AP、NR BS、またはTRPなどの用語は交換可能であり得る。いくつかの例では、セルは、必ずしも静止しているとは限らないことがあり、セルの地理的エリアは、モバイル基地局のロケーションに従って移動し得る。いくつかの例では、基地局は、任意の適切なトランスポートネットワークを使用して、直接物理接続、仮想ネットワークなど、様々なタイプのバックホールインターフェースを通じて、ワイヤレスネットワーク100内で互いに、および/または1つもしくは複数の他の基地局もしくはネットワークノード(図示せず)に相互接続され得る。
【００２３】
一般に、任意の数のワイヤレスネットワークが、所与の地理的エリアにおいて展開されてよい。各ワイヤレスネットワークは、特定の無線アクセス技術(RAT)をサポートしてよく、1つまたは複数の周波数で動作してよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてよい。場合によっては、NR RATネットワークまたは5G RATネットワークが展開されてよい。
【００２４】
BSは、マクロセル、ピコセル、フェムトセル、および/または他のタイプのセルのための通信カバレージを提供し得る。マクロセルは、比較的大きい地理的エリア(たとえば、半径数キロメートル)をカバーすることができ、サービスに加入しているUEによる無制限アクセスを可能にしてよい。ピコセルは、比較的小さい地理的エリアをカバーすることができ、サービスに加入しているUEによる無制限アクセスを可能にしてよい。フェムトセルは、比較的小さい地理的エリア(たとえば、自宅)をカバーすることができ、フェムトセルとの関連を有するUE(たとえば、限定加入者グループ(CSG)内のUE、自宅内のユーザのためのUEなど)による制限付きアクセスを可能にしてよい。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110a、110bおよび110cは、それぞれ、マクロセル102a、102bおよび102cのためのマクロBSであり得る。BS110xは、ピコセル102xのためのピコBSであり得る。BS110yおよび110zは、それぞれ、フェムトセル102yおよび102zのためのフェムトBSであり得る。BSは1つまたは複数(たとえば、3つ)のセルをサポートしてよい。
【００２５】
ワイヤレスネットワーク100は、中継局も含んでもよい。中継局は、アップストリーム局(たとえばBSまたはUE)からデータおよび/または他の情報の送信を受信し、ダウンストリーム局(たとえば、UEまたBS)にデータおよび/または他の情報の送信を送る局である。また、中継局は、他のUEのための送信を中継するUEであってもよい。図1に示す例では、中継局110rは、BS110aとUE120rとの間の通信を容易にするために、BS110aおよびUE120rと通信することができる。中継局はまた、リレーBS、リレーなどと呼ばれることもある。
【００２６】
ワイヤレスネットワーク100は、異なるタイプのBS、たとえば、マクロBS、ピコBS、フェムトBS、リレーなどを含む異種ネットワークとすることができる。これらの異なるタイプのBSは、異なる送信電力レベル、異なるカバレージエリア、およびワイヤレスネットワーク100中の干渉に対する異なる影響を有してよい。たとえば、マクロBSは高い送信電力レベル(たとえば、20ワット)を有することがあり、一方で、ピコBS、フェムトBS、およびリレーはより低い送信電力レベル(たとえば、1ワット)を有することがある。
【００２７】
ワイヤレスネットワーク100は、同期動作または非同期動作をサポートしてよい。同期動作の場合、BSは、同様のフレームタイミングを有することができ、異なるBSからの送信は、時間的にほぼ整合し得る。非同期動作の場合、BSは、異なるフレームタイミングを有する場合があり、異なるBSからの送信は、時間的に整合していない場合がある。本明細書で説明する技法は、同期動作と非同期動作の両方に使用されてよい。
【００２８】
ネットワークコントローラ130は、BSのセットに結合され、これらのBSのための調整および制御を行い得る。ネットワークコントローラ130は、バックホールを介してBS110と通信し得る。BS110はまた、たとえば、直接、または間接的にワイヤレスバックホールもしくは有線バックホールを介して、互いに通信し得る。
【００２９】
UE120(たとえば、120x、120yなど)は、ワイヤレスネットワーク100の全体にわたって分散されてよく、各UEは静止であってよく、またはモバイルであってよい。UEは、移動局、端末、アクセス端末、加入者ユニット、局、顧客構内設備(CPE:Customer Premises Equipment)、セルラーフォン、スマートフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサー/デバイス、スマートウォッチ、スマート衣料、スマートグラス、スマートリストバンド、スマートジュエリー(たとえば、スマートリング、スマートブレスレットなど)などのウェアラブルデバイス、娯楽デバイス(たとえば、音楽デバイス、ビデオデバイス、衛星無線など)、車両コンポーネントもしくは車両センサー、スマートメータ/センサー、工業生産機器、全地球測位システムデバイス、またはワイヤレス媒体もしくはワイヤード媒体を介して通信するように構成された任意の他の適切なデバイスと呼ばれる場合もある。一部のUEは、発展型もしくはマシンタイプ通信(MTC)デバイス、または発展型MTC(eMTC)デバイスと見なされる場合がある。MTC UEおよびeMTC UEは、BS、別のデバイス(たとえば、リモートデバイス)、または何らかの他のエンティティと通信することができる、たとえば、ロボット、ドローン、リモートデバイス、センサー、メータ、モニタ、ロケーションタグなどを含む。ワイヤレスノードは、たとえば、ワイヤード通信リンクまたはワイヤレス通信リンクを介して、ネットワーク(たとえば、インターネットもしくはセルラーネットワークなどのワイドエリアネットワーク)のための、またはネットワークへの接続性を提供し得る。一部のUEは、モノのインターネット(IoT)デバイスと見なされる場合がある。図1において、両矢印を有する実線は、UEとサービングBSとの間の所望の送信を示し、サービングBSは、ダウンリンクおよび/またはアップリンク上でUEにサービスするように指定されたBSである。両矢印を有する破線は、U
EとBSとの間の干渉する送信を示す。
【００３０】
特定のワイヤレスネットワーク(たとえば、LTE)は、ダウンリンク上で直交周波数分割多重化(OFDM)を利用し、かつアップリンク上でシングルキャリア周波数分割多重化(SC-FDM)を利用する。OFDMおよびSC-FDMは、システム帯域幅を、一般に、トーン、ビンなどとも呼ばれる、複数の(K個の)直交サブキャリアに区分する。各サブキャリアは、データで変調され得る。一般に、変調シンボルは、OFDMでは周波数領域において送られ、SC-FDMでは時間領域において送られる。隣接するサブキャリア間の間隔は固定される場合があり、サブキャリアの総数(K)は、システム帯域幅に依存する場合がある。たとえば、サブキャリアの間隔は15kHzであってよく、最小のリソース割振り(「リソースブロック」と呼ばれる)は12個のサブキャリア(または180kHz)であってよい。その結果、公称FFTサイズは、1.25、2.5、5、10または20メガヘルツ(MHz)のシステム帯域幅に対して、それぞれ、128、256、512、1024または2048に等しくなり得る。システム帯域幅はまた、サブバンドに区分され得る。たとえば、サブバンドは、1.08MHz(すなわち、6個のリソースブロック)をカバーすることができ、1.25、2.5、5、10または20MHzのシステム帯域幅に対して、それぞれ、1、2、4、8または16個のサブバンドが存在し得る。
【００３１】
本明細書で説明する例の態様はLTE技術に関連付けられ得るが、本開示の態様は、NRなど、他のワイヤレス通信システムに適用可能であり得る。NRは、アップリンクおよびダウンリンク上でCPを用いてOFDMを利用し、時分割複信(TDD)を使用する半二重動作に対するサポートを含み得る。100MHzの単一のコンポーネントキャリア帯域幅がサポートされ得る。NRリソースブロックは、0.1msの持続時間にわたって、サブキャリア帯域幅が75kHzの12個のサブキャリアにまたがり得る。各無線フレームは、10msの長さを有する、2つの半フレームで構成されてもよく、各々の半フレームは5つのサブフレームで構成される。結果として、各サブフレームは1msの長さを有することができる。各サブフレームは、データ送信用のリンク方向(すなわち、DLまたはUL)を示してよく、サブフレームごとのリンク方向は、動的に切り替えられてよい。各サブフレームは、DL/ULデータならびにDL/UL制御データを含み得る。NRに関するULサブフレームおよびDLサブフレームは、図6および図7に関して以下でより詳細に説明されるようなものであり得る。ビームフォーミングがサポートされ得、ビーム方向が動的に構成され得る。プリコーディングを用いたMIMO送信もサポートされ得る。DLにおけるMIMO構成は、最大で8個のストリームおよびUEごとに最大で2個のストリームを用いたマルチレイヤDL送信で最大で8個の送信アンテナをサポートし得る。UEごとに最大で2個のストリームを用いたマルチレイヤ送信がサポートされ得る。最大で8個のサービングセルを用いて複数のセルのアグリゲーションがサポートされ得る。代替として、NRは、OFDMベース以外の異なるエアインターフェースをサポートし得る。NRネットワークは、CUおよび/またはDUなどのエンティティを含み得る。
【００３２】
いくつかの例では、エアインターフェースへのアクセスがスケジュールされてよく、スケジューリングエンティティ(たとえば、基地局)は、そのサービスエリアまたはセル内のいくつかのまたはすべてのデバイスおよび機器の間で通信のためのリソースを割り振る。本開示内では、以下でさらに説明するように、スケジューリングエンティティは、1つまたは複数の従属エンティティ用のリソースをスケジュールすること、割り当てること、再構成すること、および解放することを担当し得る。すなわち、スケジュールされた通信に対して、従属エンティティは、スケジューリングエンティティによって割り振られたリソースを利用する。基地局は、スケジューリングエンティティとして機能し得る唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能し得る。この例では、UEは、スケジューリングエンティティとして機能しており、他のUEは、ワイヤレス通信のためにUEによってスケジュールされたリソースを利用する。UEは、ピアツーピア(P2P)ネットワーク中および/またはメッシュネットワーク中でスケジューリングエンティティとして機能し得る。メッシュネットワーク例では、UEは、スケジューリングエンティティと通信することに加えて、場合によっては互いに直接通信し得る。
【００３３】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信し得る。
【００３４】
上述のように、RANは、CUおよびDUを含み得る。NR BS(たとえば、eNB、5GノードB、ノードB、送信受信ポイント(TRP)、アクセスポイント(AP))が、1つまたは複数のBSに対応し得る。NRセルは、アクセスセル(ACell)またはデータオンリーセル(DCell)として構成され得る。たとえば、RAN(たとえば、集約ユニットまたは分散ユニット)は、セルを構成することができる。DCellは、キャリアアグリゲーションまたは二重接続性に使用されるが、初期アクセス、セル選択/再選択、またはハンドオーバに使用されないセルであり得る。場合によっては、DCellは同期信号を送信しないことがあり、場合によっては、DCellはSSを送信することがある。NR BSは、セルタイプを示すダウンリンク信号をUEに送信し得る。セルタイプ指示に基づいて、UEはNR BSと通信し得る。たとえば、UEは、示されたセルタイプに基づいて、セル選択用、アクセス用、ハンドオーバ用、および/または測定用と見なすべきNR BSを決定し得る。
【００３５】
図2は、図1に示したワイヤレス通信システム内で実装され得る分散型無線アクセスネットワーク(RAN)200の例示的な論理アーキテクチャを示す。5Gアクセスノード206は、アクセスノードコントローラ(ANC)202を含み得る。ANCは、分散型RAN200の集約ユニット(CU)であってよい。次世代コアネットワーク(NG-CN:next generation core network)204へのバックホールインターフェースは、ANCにおいて終端し得る。近隣次世代アクセスノード(NG-AN)へのバックホールインターフェースは、ANCにおいて終端し得る。ANCは、1つまたは複数のTRP208(BS、NR BS、ノードB、5G NB、AP、または何らかの他の用語で呼ばれることもある)を含み得る。上記で説明したように、TRPは「セル」と交換可能に使用され得る。
【００３６】
TRP208は、DUであってよい。TRPは、1つのANC(ANC202)に接続されてよく、または2つ以上のANC(図示せず)に接続されてよい。たとえば、RAN共有、サービスとしての無線(RaaS:radio as a service)、およびサービス固有ANC配置に対して、TRPは2つ以上のANCに接続され得る。TRPは、1つまたは複数のアンテナポートを含み得る。TRPは、UEへのトラフィックを個別に(たとえば、動的選択)または一緒に(たとえば、共同送信)サービスするように構成され得る。
【００３７】
ローカルアーキテクチャ200は、フロントホール定義を示すために使用され得る。異なる展開タイプにわたるフロントホール(fronthauling)解決策をサポートするアーキテクチャが定義され得る。たとえば、アーキテクチャは、送信ネットワーク能力(たとえば、帯域幅、レイテンシ、および/またはジッタ)に基づき得る。
【００３８】
アーキテクチャは、特徴および/または構成要素をLTEと共有し得る。態様によれば、次世代AN(NG-AN)210は、NRとの二重接続性をサポートし得る。NG-ANは、LTEおよびNRに対して共通フロントホールを共有し得る。
【００３９】
アーキテクチャは、TRP208間の協働を可能にし得る。たとえば、協働は、TRP内にプリセットされてよく、かつ/またはANC202を経由してTRPにわたってプリセットされてよい。態様によれば、TRP間インターフェースが必要とされない/存在しない場合がある。
【００４０】
態様によれば、アーキテクチャ200内に、分割された論理機能の動的構成が存在する場合がある。図5を参照しながらより詳細に説明するように、無線リソース制御(RRC)レイヤ、パケットデータコンバージェンスプロトコル(PDCP)レイヤ、無線リンク制御(RLC)レイヤ、媒体アクセス制御(MAC)レイヤ、および物理(PHY)レイヤは、DUまたはCU(たとえば、それぞれTRPまたはANC)に適応可能に配置され得る。いくつかの態様によれば、BSは、集約ユニット(CU)(たとえば、ANC202)および/または1つもしくは複数の分散ユニット(たとえば、1つもしくは複数のTRP208)を含んでよい。
【００４１】
図3は、本開示のいくつかの態様による、分散型RAN300の例示的な物理アーキテクチャを示す。集中型コアネットワークユニット(C-CU)302が、コアネットワーク機能をホストし得る。C-CUは、中央に配置されてよい。C-CU機能は、ピーク容量に対処しようとして、(たとえば、アドバンストワイヤレスサービス(AWS)に)オフロードされ得る。
【００４２】
集中型RANユニット(C-RU)304が、1つまたは複数のANC機能をホストし得る。場合によっては、C-RUは、コアネットワーク機能を局所的にホストし得る。C-RUは分散配置を有してよい。C-RUは、ネットワークエッジのより近くにあってよい。
【００４３】
DU306が、1つまたは複数のTRP(エッジノード(EN)、エッジユニット(EU)、無線ヘッド(RH)、スマート無線ヘッド(SRH)など)をホストし得る。DUは、無線周波数(RF)機能を備えたネットワークのエッジに位置し得る。
【００４４】
図4は、本開示の態様を実施するために使用され得る、図1に示すBS110およびUE120の例示的な構成要素を示す。上記で説明したように、BSはTRPを含み得る。BS110およびUE120の1つまたは複数の構成要素は、本開示の態様を実践するために使用され得る。たとえば、UE120のアンテナ452、MOD/DEMOD454、プロセッサ466、458、464、および/もしくはコントローラ/プロセッサ480、ならびに/またはBS110のアンテナ434、MOD/DEMOD432、プロセッサ430、420、438、および/もしくはコントローラ/プロセッサ440は、本明細書で説明し、図8を参照しながら示す動作を実行するために使用され得る。
【００４５】
図4は、図1におけるBSのうちの1つおよびUEのうちの1つであってよい、BS110およびUE120の設計のブロック図を示す。制限された接続シナリオの場合、基地局110は図1のマクロBS110cであってよく、UE120はUE120yであってよい。基地局110はまた、何らかの他のタイプの基地局であり得る。基地局110は、アンテナ434a〜434tを備えることができ、UE120は、アンテナ452a〜452rを備えることができる。
【００４６】
基地局110において、送信プロセッサ420は、データソース412からデータを受信し、コントローラ/プロセッサ440から制御情報を受信し得る。制御情報は、物理ブロードキャストチャネル(PBCH)、物理制御フォーマットインジケータチャネル(PCFICH)、物理ハイブリッドARQインジケータチャネル(PHICH)、物理ダウンリンク制御チャネル(PDCCH)などに関するものであってよい。データは、物理ダウンリンク共有チャネル(PDSCH)などに関するものであってよい。プロセッサ420は、データおよび制御情報を処理(たとえば、符号化およびシンボルマッピング)して、それぞれデータシンボルおよび制御シンボルを取得することができる。プロセッサ420はまた、たとえば、PSS、SSS、およびセル固有基準信号に関する基準シンボルを生成することもできる。送信(Tx)多入力多出力(MIMO)プロセッサ430は、適用可能な場合には、データシンボル、制御シンボル、および/または基準シンボルに対して空間処理(たとえば、プリコーディング)を実行することができ、出力シンボルストリームを変調器(MOD)432a〜432tに提供することができる。たとえば、Tx MIMOプロセッサ430は、RS多重化のために本明細書で説明するいくつかの態様を実行し得る。各変調器432は、(たとえば、OFDMなどのための)それぞれの出力シンボルストリームを処理して、出力サンプルストリームを取得することができる。各変調器432は、出力サンプルストリームをさらに処理(たとえば、アナログに変換、増幅、フィルタリング、およびアップコンバート)して、ダウンリンク信号を取得することができる。変調器432a〜432tからのダウンリンク信号を、それぞれアンテナ434a〜434tを介して送信してよい。
【００４７】
UE120において、アンテナ452a〜452rは、基地局110からダウンリンク信号を受信することができ、受信信号をそれぞれ復調器(DEMOD)454a〜454rに提供することができる。各復調器454は、それぞれの受信信号を調整(たとえば、フィルタリング、増幅、ダウンコンバート、およびデジタル化)して、入力サンプルを取得することができる。各復調器454は、(たとえば、OFDMなどのための)入力サンプルをさらに処理して、受信シンボルを取得することができる。MIMO検出器456は、すべての復調器454a〜454rから受信シンボルを取得し、適用可能な場合、受信シンボルに対してMIMO検出を実行し、検出されたシンボルを提供することができる。たとえば、MIMO検出器456は、本明細書で説明する技法を使用して送信された検出済みRSを提供し得る。受信プロセッサ458は、検出されたシンボルを処理(たとえば、復調、デインターリーブ、および復号)し、UE120のための復号されたデータをデータシンク460に提供し、復号された制御情報をコントローラ/プロセッサ480に提供することができる。1つまたは複数の事例によれば、CoMP態様は、アンテナならびにいくつかのTx/Rx機能を、CoMP態様が分散されたユニット内に存在するように提供することを含むことができる。たとえば、いくつかのTx/Rx処理は中央ユニット内で行われ得る一方で、他の処理は分散されたユニットにおいて行われ得る。たとえば、図に示す1つまたは複数の態様によれば、BS変調器/復調器432は、分散されたユニット内にあってもよい。
【００４８】
アップリンクでは、UE120において、送信プロセッサ464が、データソース462からの(たとえば、物理アップリンク共有チャネル(PUSCH)についての)データ、およびコントローラ/プロセッサ480からの(たとえば、物理アップリンク制御チャネル(PUCCH)についての)制御情報を受信し、処理してよい。送信プロセッサ464はまた、基準信号のための基準シンボルを生成し得る。送信プロセッサ464からのシンボルは、適用可能な場合には、TX MIMOプロセッサ466によってプリコーディングされ、(たとえばSC-FDMなどのために)復調器454a〜454rによってさらに処理され、基地局110に送信されてよい。BS110において、UE120からのアップリンク信号は、アンテナ434によって受信され、変調器432によって処理され、適用可能な場合には、MIMO検出器436によって検出され、受信プロセッサ438によってさらに処理されて、UE120によって送られた復号データおよび制御情報を取得し得る。受信プロセッサ438は、データシンク439に復号されたデータを提供し、コントローラ/プロセッサ440に復号された制御情報を提供してよい。
【００４９】
コントローラ/プロセッサ440および480は、それぞれ基地局110およびUE120における動作を指示し得る。基地局110におけるプロセッサ440ならびに/または他のプロセッサおよびモジュールは、たとえば、図11および図13に示す機能ブロックおよび/または本明細書で説明する技法に対する他のプロセスを実行または指示し得る。UE120におけるプロセッサ480ならびに/または他のプロセッサおよびモジュールも、本明細書で説明する技法に対するプロセスを実行または指示し得る。メモリ442および482は、それぞれBS110およびUE120のためのデータおよびプログラムコードを記憶し得る。スケジューラ444は、ダウンリンクおよび/またはアップリンク上でのデータ送信のためにUEをスケジューリングし得る。
【００５０】
図5は、本開示の態様による、通信プロトコルスタックを実装するための例を示す図500を示す。示された通信プロトコルスタックは、5Gシステム(たとえば、アップリンクベースのモビリティをサポートするシステム)内で動作するデバイスによって実装され得る。図500は、無線リソース制御(RRC)レイヤ510、パケットデータコンバージェンスプロトコル(PDCP)レイヤ515、無線リンク制御(RLC)レイヤ520、媒体アクセス制御(MAC)レイヤ525、および物理(PHY)レイヤ530を含む通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装され得る。コロケート実装形態および非コロケート実装形態は、たとえば、ネットワークアクセスデバイス(たとえば、AN、CU、および/もしくはDU)またはUEのためのプロトコルスタックの中で使用されてよい。
【００５１】
第1のオプション505-aは、プロトコルスタックの実装が集中ネットワークアクセスデバイス(たとえば、図2のANC202)と分散ネットワークアクセスデバイス(たとえば、図2のDU208)との間で分割される、プロトコルスタックの分割実装形態を示す。第1のオプション505-aでは、RRCレイヤ510およびPDCPレイヤ515は、集約ユニットによって実装されてよく、RLCレイヤ520、MACレイヤ525、およびPHYレイヤ530は、DUによって実装されてよい。様々な例では、CUおよびDUは、コロケートされてよく、またはコロケートされなくてもよい。第1のオプション505-aは、マクロセル配置、マイクロセル配置、またはピコセル配置において有用であり得る。
【００５２】
第2のオプション505-bは、プロトコルスタックが単一のネットワークアクセスデバイス(たとえば、アクセスノード(AN)、ニューラジオ基地局(NB BS)、ニューラジオノードB(NR NB)、ネットワークノード(NN)など)の中で実装される、プロトコルスタックの統合実装形態を示す。第2のオプションでは、RRCレイヤ510、PDCPレイヤ515、RLCレイヤ520、MACレイヤ525、およびPHYレイヤ530は各々、ANによって実装され得る。第2のオプション505-bは、フェムトセル配置において有用であり得る。
【００５３】
ネットワークアクセスデバイスがプロトコルスタックの一部を実装するのか全部を実装するのかにかかわらず、UEは、全プロトコルスタック(たとえば、RRCレイヤ510、PDCPレイヤ515、RLCレイヤ520、MACレイヤ525、およびPHYレイヤ530)を実装してよい。
【００５４】
図6は、NRに対するフレームフォーマット600の一例を示す図である。ダウンリンクおよびアップリンクの各々に対する送信タイムラインは、無線フレームの単位に区分されてもよい。各無線フレームは、所定の持続時間(たとえば、10ms)を有してもよく、0〜9のインデックスを有し、各々が1msの10個のサブフレームに区分されてもよい。各サブフレームは、サブキャリア間隔に応じて可変数のスロットを含んでもよい。各スロットは、サブキャリア間隔に応じて可変数のシンボル期間(たとえば、7または14個のシンボル)を含んでもよい。各スロット内のシンボル期間は、割り当てられたインデックスであり得る。サブスロット構造と呼ばれることがあるミニスロットは、1スロット(たとえば、2、4または7シンボル)より小さい持続時間を有する送信時間間隔を指す。
【００５５】
1つのスロット内の各シンボルは、データ送信用のリンク方向(たとえば、DL、ULまたはフレキシブル)を示してもよく、各サブフレームに対するリンク方向は、動的に切り替えられてもよい。リンク方向は、スロットフォーマットに基づく場合がある。各スロットは、DL/ULデータならびにDL/UL制御情報を含んでもよい。
【００５６】
NRにおいて、同期信号(SS)ブロックが送信される。SSブロックは、PSS、SSSおよび2つのシンボルPBCHを含む。SSブロックは、図6に示すように、シンボル0〜3などの固定のスロットロケーション内で送信され得る。PSSおよびSSSは、セル探索およびセル捕捉のためにUEによって使用されてもよい。PSSはハーフフレームタイミングを提供してもよく、SSSはCP長さおよびフレームタイミングを提供してもよい。PSSおよびSSSは、セル識別情報を提供してもよい。PBCHは、ダウンリンクシステム帯域幅、無線フレーム内のタイミング情報、SSバーストセット周期、システムフレーム番号など、いくつかの基本システム情報を搬送する。SSブロックは、ビーム掃引をサポートするためにSSバースト内に編成され得る。残りの最小システム情報(RMSI)、システム情報ブロック(SIB)、他のシステム情報(OSI)など、さらなるシステム情報は、いくつかのサブフレーム内の物理ダウンリンク共有チャネル(PDSCH)上で送信され得る。
【００５７】
いくつかの状況では、2つ以上の従属エンティティ(たとえば、UE)はサイドリンク信号を使用して互いに通信することができる。そのようなサイドリンク通信の現実世界の適用例は、公共安全、近接サービス、UEからネットワークへの中継、車両間(V2V)通信、インターネットオブエブリシング(IoE:Internet of Everything)通信、IoT通信、ミッションクリティカルメッシュ、および/または様々な他の適切な適用例を含み得る。一般に、サイドリンク信号は、スケジューリングおよび/または制御のためにスケジューリングエンティティが利用され得るにもかかわらず、スケジューリングエンティティ(たとえば、UEまたはBS)を通じてその通信を中継せずに、ある従属エンティティ(たとえば、UE1)から別の従属エンティティ(たとえば、UE2)に通信される信号を指す場合がある。いくつかの例では、サイドリンク信号は、(通常は免許不要スペクトルを使用するワイヤレスローカルエリアネットワークとは異なり)免許必要スペクトルを使用して通信されてよい。
【００５８】
UEは、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成において動作し得る。RRC専用状態において動作するとき、UEは、パイロット信号をネットワークに送信するために、リソースの専用セットを選択し得る。RRC共通状態において動作するとき、UEは、パイロット信号をネットワークに送信するために、リソースの共通セットを選択し得る。いずれの場合も、UEによって送信されるパイロット信号は、ANもしくはDU、またはそれらの部分などの、1つまたは複数のネットワークアクセスデバイスによって受信され得る。各受信ネットワークアクセスデバイスは、リソースの共通セット上で送信されるパイロット信号を受信および測定するとともに、ネットワークアクセスデバイスがUEのためのネットワークアクセスデバイスの監視セットのメンバーであるUEに割り振られたリソースの専用セット上で送信されるパイロット信号も受信および測定するように構成され得る。受信ネットワークアクセスデバイスのうちの1つもしくは複数、または受信ネットワークアクセスデバイスがパイロット信号の測定値を送信する先のCUは、UE用のサービングセルを識別するために、またはUEのうちの1つもしくは複数のためのサービングセルの変更を開始するために、測定値を使用し得る。
【００５９】
例示的なスロット設計
ロングタームエボリューション(LTE)規格など、いくつかのワイヤレス通信規格に準拠するモバイル通信システムでは、いくつかの技法が、データ送信の信頼性を高めるために使用され得る。たとえば、基地局が特定のデータチャネルに対する初期送信動作を実行した後、送信を受信する受信機はデータチャネルを復調することを試み、その間に受信機はデータチャネルに対する巡回冗長検査(CRC)を実行する。その検査の結果として、初期送信が正常に復調される場合、受信機は、正常な復調に肯定応答するために肯定応答(ACK)を基地局に送り得る。しかしながら、初期送信が正常に復調されない場合、受信機は、否定応答(NACK)を基地局に送り得る。ACK/NACKを送信するチャネルは、応答チャネルまたはACKチャネルと呼ばれる。
【００６０】
場合によっては、LTE規格の下で、ACKチャネルは、2つのスロット(すなわち1つのサブフレーム)または14個のシンボルを含んでもよく、それらは1ビットまたは2ビットの情報を含み得るACKを送信するために使用され得る。場合によっては、ACKチャネル情報を送信するとき、ワイヤレスデバイスは、周波数ホッピングを実行し得る。周波数ホッピングは、干渉を低減して遮断を回避するために、周波数帯域内で繰り返し周波数を切り替える行為を指す。
【００６１】
NRなど、他のワイヤレス通信規格の下で、ACKチャネル情報ならびに他の情報は、図7Aに示すアップリンク構造を介して送信され得る。図7Aは、ロングアップリンクバースト送信に対する領域を含む送信時間間隔(TTI)を有するULセントリックスロットに対する例示的なアップリンク構造を示す。ロングアップリンクバーストは、肯定応答(ACK)、チャネル品質インジケータ(CQI)またはスケジューリング要求(SR)情報などの情報を送信し得る。
【００６２】
図7Aにおいて「ULロングバースト」と呼ばれるロングアップリンクバースト送信に対する領域の持続時間は、図7Aに示すように、物理ダウンリンク制御チャネル(PDCCH)、ギャップ、およびショートアップリンクバースト(ULショートバーストとして示す)に対して、いくつのシンボルが使用されるかに応じて変化する場合がある。たとえば、ULロングバーストは、いくつかのスロット(たとえば、4つ)を含む場合があり、各スロットの持続時間は4から14個のシンボルまで変化する場合がある。図7Bは、PDCCH、物理ダウンリンク共有チャネル(PDSCH)、ギャップ、およびアップリンクショートバーストを含むTTIを有するDLセントリックスロットに対するダウンリンク構造を示す。ULロングバーストと同様に、DL PDSCHの持続時間もまた、PDCCH、ギャップ、およびアップリンクショートバーストによって使用されるシンボルの数にも依存し得る。
【００６３】
上述のように、ULショートバーストは1つまたは2つのシンボルであってもよく、種々の手法が、この持続時間内にUCIを送信するために使用され得る。たとえば、「1つのシンボルの」UCI設計によれば、3ビット以上のUCIは、周波数分割多重化(FDM)を使用して送られ得る。1ビットもしくは2ビットの肯定応答(ACK)または1ビットのスケジューリング要求(SR)に対して、シーケンスベースの設計が使用され得る。たとえば、SRは、1つのシーケンスのオンオフキーイングを用いて送られてもよく、RBごとに最大で12ユーザを多重化し得る。1ビットACKに対して、2つのシーケンスが使用されてもよく、RBごとに最大で6ユーザが多重化され得る。2ビットACKに対して、4つのシーケンスが使用されてもよく、RBごとに最大で3ユーザが多重化され得る。
【００６４】
例示的なPUCCHおよびPUSCHの同時多重化
提供され得る同じUEからのPUCCHおよびPUSCHを同時に多重化するために、いくつかの手法がある。たとえば、第1の手法は、FDM、PUCCHおよびPUSCHなど、異なるRB上のPUCCHおよびPUSCHを送信することを含み得る。第2の手法は、割り当てられたPUSCH RB上にPUCCHをピギーバックすることを含み得る。両手法は、NRにおいてサポートされ得る。
【００６５】
PUSCH上のUCIピギーバッキングは、周波数第1のマッピングに対して、DFT-s-OFDM波形およびCP-OFDM波形を有するPUSCHに対して共通であり得る、(たとえば、RS付近の)UCIリソースマッピング原理を含み得る。PUSCH上のUCIピギーバッキングは、少なくとも、RRCによって構成される周期的CSI報告および/またはUL許可によってトリガされる非周期的CSI報告に対してUCI付近でレートマッチングされ得るULデータも含み得る。
【００６６】
1つまたは複数の場合、3ビット以上を有するHARQ-ACKに対するスロットベースのスケジューリングは、レートマッチングされるPUSCHを含み得る。場合によっては、PUSCHは、最大で2ビットを有するHARQ-ACKに対するスロットベースのスケジューリングに対してパンクチャリングされ得る。1つまたは複数の場合、NRは、gNBとUEとの間のHARQ-ACKビットについて十分に信頼できる共通の理解を提供し得る。場合によっては、PUCCHおよびPUSCHのチャネル多重化に関して、追加の検討事項が考慮に入れられる場合がある。
【００６７】
PUSCH上のUCIピギーバックに対する例示的なREマッピングルール
PUSCH上のUCIピギーバッキングに関連する検討事項は、HARQ-ACKピギーバックルールをどのように決定すべきかを含み得る。たとえば、PUSCHがACKによってパンクチャリングされるならば、大きいACKペイロードサイズの場合、PUSCH復号性能に対する影響を無視できない場合がある。PUSCHがACK付近でレートマッチングされるならば、UEがDCIを誤検出する場合に、eNBおよびUEは、PUSCH上にピギーバックされたACKビットの数について異なる仮定を有する場合があり、そのことで、そのようなあいまいさを解決するために、eNBがブラインド検出を実行することが必要となる場合がある。さらに、ACKペイロードサイズが増加するにつれて、eNBが実行する必要があり得るブラインド検出の数も増加する場合がある。
【００６８】
それゆえ、1つまたは複数の場合、上述の検討事項のうちの1つまたは複数を解決するための妥当な解決策を提供するために、1つまたは複数の特徴が実装され得る。たとえば、ACKビットの数が小さい(最大で2ビット)とき、PUSCHはパンクチャリングされ得る。そのような場合、PUSCH復号性能に及ぼすパンクチャリングの影響は、小さい場合がある。大きいACKペイロードサイズの場合、顕著なPUSCH性能劣化を回避するために、レートマッチングが適用される場合がある。1つまたは複数の場合、eNB側におけるACKペイロードサイズのあいまいさに対処するために、他の特徴が実装される場合がある。
【００６９】
本開示の態様は、PUSCH上のUCIピギーバックに対するREマッピングルールを決定するための技法を提供する。たとえば、図8は、本開示のいくつかの態様による、ユーザ機器(UE)によるワイヤレス通信のための例示的な動作を示す。
【００７０】
動作800は、802において、物理アップリンク共有チャネル(PUSCH)送信内のアップリンク制御情報(UCI)を送信するために使用するためのアップリンクリソースのセットを決定することで開始し、決定はUCIのペイロードサイズに少なくとも部分的に基づく。804において、動作800は、アップリンクリソースの決定されたセットを使用してUCIを送信することをさらに含み得る。場合によっては、決定は、ペイロードサイズに依存するマッピングルールに基づく場合がある。
【００７１】
1つまたは複数の場合によれば、最大で2ビットのACKを有するリソースマッピングルールに対して、ACKピギーバックは低密度パリティチェック(LDPC)符号化の後に生じ得るので、ACKピギーバックは、PUSCHに対するLDPCエンコーダに対してトランスペアレントであり得る。それゆえ、パンクチャリングの場合によっては、2ビットのACKは、符号化の後に複数のビットになり得、それに応じて、いくつかのREをパンクチャリングする場合がある。そのような場合、1つのPUSCHコードブロックを過度にパンクチャリングすることを回避するために、1つまたは複数の場合、パンクチャリングの影響をすべてのPUSCHコードブロック上で共有するように、すべてのULシンボルにわたってACK REを分散させることが含まれる場合がある。時間分散マッピング(time distributed mapping)の別の利点には、ACKペイロードに対する時間ダイバーシティが含まれ得る。
【００７２】
周波数ダイバーシティを達成するために、1つまたは複数の場合、周波数領域においてACK REを分散させることを含み得る。1つの潜在的な問題は、ACK REが復調基準信号(DMRS)から遠く離れることがあり、高ドップラーにおいて悪化するチャネル推定に悩まされることがあることである。それに応じて、1つまたは複数の場合、追加のDMRSシンボルが、PUSCH復号性能のために高ドップラーにおいて追加される場合がある。さらに、1つまたは複数の場合、ACKは、βoffsetを有する低符号レートで変調され、保護される直角位相シフトキー(QPSK)であり得る。そのような場合、ACK性能を重視する前に、DMRSから遠く離れたPUSCHシンボルに重点が置かれる場合がある。
【００７３】
1つまたは複数の場合、3ビット以上を有するACKに対して、ACKレートマッチングPUSCHが提供されるとき、ACKパンクチャリングPUSCHの影響はないことがある。場合によっては、ACKは、潜在的に改善されたチャネル推定を利用するために、DMRSに近いREにマッピングされる場合がある。他の場合には、3ビット以上を有するACKは、RIと一緒に符号化され得る。これがもたらされ得るのは、ランク情報(RI)およびACKが、同様の復号性能要件を有することがあり、両者はPUSCH付近でレートマッチングされ得るからである。
【００７４】
1つまたは複数の場合によれば、リソースマッピングルールは、ACKペイロードサイズに依存することがあり、その例は図9および図10に示される。
【００７５】
具体的には、図9は、本開示のいくつかの態様による、1ビットまたは2ビットのACKを有するPUSCH上のUCIに対するリソースマッピング900を示す。図示のように、最大で2ビットのACKが、時間および周波数において分散されたREにマッピングされ得る。
【００７６】
図10は、本開示のいくつかの態様による、3ビット以上のACKを有するPUSCH上のUCIに対するリソースマッピング1000を示す。図示のように、3ビット以上のACKが、最初にランク情報(RI)と一緒に符号化され、次いで、フロントロードされたDMRSの次のREにマッピングされ得る。
【００７７】
1つまたは複数の場合、RIは、CQI/PMI/ビーム関連情報と別個に符号化されてもよい。1つまたは複数の場合、これがもたらされ得るのは、CQI/PMI/ビーム関連情報およびペイロードサイズがランク依存であり得るからである。場合によっては、タイムラインの観点から、eNBは、CQI/PMI/ビーム関連情報に対するビットの数を決定するために、最初にRIを復号することを好む場合がある。
【００７８】
1つまたは複数の場合、RIおよびCQI/PMI/ビーム関連情報は、別個に符号化される場合がある。場合によっては、提供され得るREマッピングルールにおける態様は、ACKがCSIをパンクチャリングしないように、ACKおよびCSIが直交リソースにマッピングされることを確実にすることを含む。たとえば、ACKは、直交リソースにマッピングされるCSIの第1の部分をパンクチャリングしないことがあり、むしろ、直交リソースにマッピングされないCSIの第2の部分のみをパンクチャリングしてもよい。具体的には、1つまたは複数の場合によれば、ACKおよびCSIは、直交するREにマッピングされ得、それゆえACKは、直交するREにマッピングされたCSIの部分をパンクチャリングすることはない。
【００７９】
各UCIタイプに割り当てられたUCIリソースの量は、βoffset値によって制御され得、LTEにおけるβoffset値は、半静的に構成されたUCIタイプごとに単一の値であり得る。これらのオフセットはいずれも、UCI性能を確実にするためにあまりにも控えめに設定され、したがって、PUSCHの性能に悪影響を及ぼすこと、またはUCI性能要件を満足するには不十分であることをもたらす場合がある。したがって、各送信に対する動的βoffset選択が提供され得る。これは、少数のβoffset値と、どの値が現在の送信内で使用されるべきかを次に動的に選択し得るPDCCHとを半静的に構成することによって行われ得る。1つまたは複数の場合、PUSCH上のUCIに対するβoffset値の動的選択が提供され得る。
【００８０】
1つまたは複数の場合によれば、リソースの決定されたセットの表示をシグナリングすることは、復調基準信号(DMRS)送信を介して提供され得る。このシグナリングは、たとえば、リソースの第1のセットを示すために第1のDMRSシーケンスを送信することを含み得るか、またはシグナリングは、リソースの第2のセットを示すために第2のDMRSシーケンスを送信することを含む場合がある。場合によっては、第1および第2のDMRSシーケンスは、相補シーケンスを含む場合がある。
【００８１】
詳細には、1つまたは複数の場合によれば、1ビットが、PUSCH上のUCIピギーバックに関するUEの挙動についてeNBにシグナリングするために、DMRSを変調するために提供され得る。
【００８２】
場合によっては、リソースマッピングルールと呼ばれることもある、少なくとも2つのUCIピギーバックルールが、ACKペイロードサイズに依存し得る図9および図10に示すように定義され得る。詳細には、ルールは、2ビット以上かまたは2ビット未満のいずれかであるACKペイロードサイズに依存する場合がある。ACKペイロードに応じて、UEは、PUSCH上のピギーバックUCIを異なって実装し得る。
【００８３】
場合によっては、UEは、PDSCHに対するDL許可を逸する場合がある。これが生じると、UEおよびeNBは、ACKペイロードサイズの値について異なる理解を有する場合がある。UEとeNBとの間のこの誤解は、UEのピギーバック挙動について誤った仮定をeNBに持たせる場合があり、それによって、UCIとPUSCHの両方に対する受信障害をeNBに生じさせる場合がある。
【００８４】
たとえば、eNBは、スロットN上の3つのCC上に3つのDL PDSCH許可をスケジュールする場合がある。それゆえ、eNBは、スロットN+2上の3ビットのACK/NACKフィードバックを予期し、ここでACK/NACKフィードバックのビットの各々は各DL許可に対応する。eNBは、スロットN+2上のPUSCH送信もスケジュールする場合がある。eNBは、スロットN+2上のフィードバックとして3つのACK/NACKビットを予期しているので、eNBは、図10で定義されるルールに基づいてUEがピギーバックを実装することが可能であると仮定することになる。しかしながら、UEは、2つのDL許可の復号だけに成功することがあり、第3のDL許可の復号に失敗することがある。それゆえ、UEは、ACKペイロードサイズは2ビットであるものと考える。それゆえ、UEは、代わりに、図9で定義されるルールに基づいてピギーバックを実装する場合がある。したがって、eNBは、この場合、PUSCHまたはUCIのいずれかを正常に復号することはできない。
【００８５】
1つまたは複数の場合によれば、この問題を解決するための1つの方法は、1ビットの情報を有するDMRSを変調することを含み得る。この1ビットの情報bの値は、どのルールに従うかを定義し得る。たとえば、b=0であるとき、これは、UEがルール1に従う(または同等に、ACKペイロードは最大で2ビットを有するとUEが仮定する)ことを意味し得、b=1であるとき、これは、UEがルール2に従う(または同等に、ACKペイロードは3ビット以上を有するとUEが仮定する)ことを意味し得る。さらに、元のDMRSシーケンスは、Sと呼ばれることがあり、ここでSはアレイである。1つまたは複数の場合によれば、変調は、いくつかの異なる方法で行われる場合がある。たとえば、変調は、b=0のときにDMRSとしてSを使用すること、またはb=1のときにDMRSとして-Sを使用することを含み得る。代替的に、変調は、b=0のときにDMRSとして-Sを使用すること、およびb=1のときにDMRSとしてSを使用することを含み得る。場合によっては、eNB側において、eNBは、DMRSがSであるかまたは-Sであるかを検出し得る。検出後、eNBは、PUSCH上のUCIピギーバックを行うために、UEがルール1を適用するかまたはルール2を適用するかを知り得る。
【００８６】
それに応じて、1つまたは複数の場合、UEからDMRS上に埋め込まれた/変調されたeNBへの、1ビットのシグナリングの特徴を含むことは、PUSCH上にUCIをピギーバックすることに関するUE挙動がいかなるものかについての誤った仮定を是正するのに役立つ場合があり、それによって、UEがDL許可を逸したときに生じる潜在的なあいまいさが解決される。
【００８７】
1つまたは複数の例によれば、アップリンクリソースのセットを決定することは、アップリンク許可のために使用されるダウンリンク制御情報(DCI)フォーマットのタイプに基づく場合がある。詳細には、eNBは、UL許可に対する異なるDCIタイプに基づいて、異なるピギーバックルールに従うようにUEにシグナリングする場合がある。
【００８８】
具体的には、手法は、DCIフォーマットに基づいてパンクチャリングするかまたはレートマッチングを実装するかを決定することを含み得る。これは、UL許可を含むDCIフォーマット0に対して2つのサブタイプを定義することによって実装され得る。2つのタイプは、DCIフォーマット0-0および/またはDCIフォーマット0-1を含むことができる。DCIフォーマット0-1では、UEがフィードバックするべきACKビットの数をシグナリングするために、インジケータが追加される。DCIフォーマット0-0では、そのようなインジケータは含まれないことがある。1つまたは複数の場合、DCIフォーマット(0-1)は、UEがフィードバックするべきACKビットの数(Nとして示される)を示すためのインジケータを含み得る。1つまたは複数の場合によれば、DCIフォーマット(0-0)は、そのようなインジケータを含まないことがある。
【００８９】
いくつかのシナリオでは、DCIフォーマット0-0が使用されることになる場合などでは、インジケータは不要であり得る。そのようなシナリオは、限定はしないが、ACKを多重化することなく、1つのコンポーネントキャリア(CC)FDDまたは1つのCC TDDを含み得る。この場合、最大ACKペイロードサイズは2ビットを超えることはない。さらに、UL許可にこのインジケータを加える必要がないことがある。DCIフォーマット0-0が使用され得る他の場合には、UEのACKフィードバックは、常にPUSCHをパンクチャリングしてもよく、または同等に、図9に示すようにピギーバックルールに従ってもよい。
【００９０】
インジケータが必要な他のシナリオでは、DCIフォーマット0-1が使用され得る。UEは、N(シグナリングされた、DCIフォーマット0-1内のACKビットの数)に従ってもよく、それに応じてUE挙動を決定してもよい。他の場合には、DCIフォーマット0-1に対して、UE挙動に対する2つのオプションがあり得る。第1のオプションは、N≦2のとき、ACKが(たとえば、図9に示すルールに従って)PUSCHをパンクチャリングし得ることを含み得る。N>2のとき、ACKレートマッチPUSCHが、(たとえば、図10に示すルールに従って)実装され得る。第2のオプションは、N値にかかわらず、UEがDCIフォーマット0-1を受信する限り、ACKレートマッチPUSCHが、(たとえば、図10に示すルールに従って)実装され得ることを含み得る。
【００９１】
場合によっては、DCIフォーマット0-0を受信するとき、UE挙動は、図9に示すように、ACKが常にPUSCHをパンクチャリングすることを含み得る。他の場合には、UEは、DCIフォーマット0-1を受信し得、それに応答して、1つまたは2つの異なるオプションを実装し得る。第1のオプションは、DCIフォーマット0-1内でシグナリングされる値Nに応じて、図9に示すようにPUSCHをパンクチャリングし得るかまたは図10に示すようにPUSCHをレートマッチングし得るACKを含む。第2のオプションは、図10に示すように、NにかかわらずPUSCHをレートマッチングすることを含む。
【００９２】
eNB挙動は、(構成されるN値とともに)DCIフォーマット0-0を有するUL許可を送るかまたはDCIフォーマット0-1を有するUL許可を送るかは、動作シナリオに依存することを含み得る。eNBは、ピギーバックされたACKビットを含むPUSCHも受信し得る。eNBがDCIフォーマット0-0を送った場合、UEのACKは、PUSCH、ACK、および他のUCIを復号するために常にPUSCHをパンクチャリングする(たとえば、図9に示すルール1に従う)ことを、eNBは仮定し得る。他の場合には、eNBがDCIフォーマット0-1を送った場合、eNBは、2つのオプションのうちの少なくとも1つを実装し得る。第1のオプションは、UEがN値に従ってUCIピギーバックルールを決定し、同様にN値に応じて異なる復号手順をeNBに適用させると仮定することを含む。第2のオプションは、UEはNにかかわらずPUSCHをレートマッチングし(たとえば、図10のルール2)、eNBはN値にかかわらず同じ復号手順を適用すると仮定することを含む。
【００９３】
1つまたは複数の場合によれば、ACKビットの数に加えて、DL許可情報をUL許可に含めることが提供され得る。情報は、(限定はしないが)ランク、コードブロックグループ(CBG)ベースの送信、またはトランスポートブロック(TB)ベースの送信を含み得る。したがって、UEがいくつかのDL許可を逸した場合、UEがUL許可を受信している限り、UEは、依然としてACK送信をどのように準備するかを知ることができる。
【００９４】
この技法は、1つまたは複数のシナリオに対処するのに役立つ場合がある。たとえば、5つのアクティブコンポーネントキャリア(CC)を有するキャリアアグリゲーションシナリオでは、eNBは、3つのDL許可を有する3つのCC上の3つのPDSCHをスケジュールする場合がある。しかし、UEは、2つのDL許可だけを検出し得、第3のDL許可を逸する場合がある。復号された2つのDL許可がともに、ランク1 TBベースのPDSCHをスケジュールすることであると仮定すると、それらの各々に対して1ビットACKが提供され得る。失われたDL許可は、ランク1 CBGベースのPDSCHをスケジュールすることを含む場合がある。それゆえ、PDSCH内に2つのCBGがあり得、それによって2ビットACKが必要とされる場合がある(各コードブロックグループ(CBG)に対して1つのACK)。UL許可では、eNBは、合計4ビットのACKフィードバックを予期し得るので、eNBはN=4を構成してもよい。しかし、UEは2ビットだけをフィードバックする場合がある。しかしながら、4ビットがフィードバックにおいて必要であるが、UEは利用可能な2ビットだけを有する。UEは、DL許可の誤検出による2つの未知のものを人為的にNACKとしてフィードバックする場合がある。しかしながら、UEは、2ビット中のどれを真のACKフィードバックで満たすべきか、およびどれを人為的なNACKで満たすべきかを知らない。それに応じて、DL許可がUL許可内にコピーされているならば、UEがUL許可を復号している限り、UEは、必要なすべてのものを知って、そのようなシナリオを回避することができる。
【００９５】
1つまたは複数の場合、1ビット情報に加えて、eNBがUL許可に対するDCIフォーマット0-1内でシグナリングしたNビットACKフィードバックの中に、UEは、どのビットがどのDL許可の肯定応答に対するものであるかをシグナリングするためのヘッダを含めてもよい。
【００９６】
そのようなシナリオでは、DL許可情報をUL許可内にコピーする代わりに、問題に対処するための別の方法は、どのACKビットがどのCCに対するものであるかをeNBが示すことをUEにシグナリングさせることを含み得る。1つまたは複数の場合、シグナリングは、フィードバックするようにUEを構成するNビット内のヘッダとして追加され得る。この例では、Nは、DCIフォーマット0-1内に構成され得る。
【００９７】
図11は、図8に示す動作800など、本明細書で説明する技法に対する動作を実行するように構成された、(たとえば、ミーンズプラスファンクション構成要素に対応する)様々な構成要素を含み得る通信デバイス1100を示す。通信デバイス1100は、トランシーバ1112に結合された処理システム1114を含む。トランシーバ1112は、本明細書で説明する様々な信号など、通信デバイス1100のための信号を、アンテナ1120を介して送受信するように構成される。処理システム1114は、通信デバイス1100によって受信された信号および/または送信されるべき信号を処理することを含む、通信デバイス1100のための処理機能を実行するように構成され得る。
【００９８】
処理システム1114は、バス1124を介してコンピュータ可読媒体/メモリ1110に結合されたプロセッサ1108を含む。いくつかの態様では、コンピュータ可読媒体/メモリ1110は、プロセッサ1108によって実行されるとき、プロセッサ1108に、図8に示す動作または本明細書で説明する様々な技法を実行するための他の動作を実行させる命令を記憶するように構成される。いくつかの態様では、処理システム1114は、図8の802において示す動作を実行するためのUCIアップリンクリソース決定構成要素1102をさらに含む。処理システム1114はまた、図8の804において示す動作を実行するためのUCI制御構成要素1104を含む。
【００９９】
UCIアップリンクリソース決定構成要素1102およびUCI制御構成要素1104は、バス1124を介してプロセッサ1108に結合され得る。いくつかの態様では、UCIアップリンクリソース決定構成要素1102およびUCI制御構成要素1104は、ハードウェア回路であってもよい。いくつかの態様では、UCIアップリンクリソース決定構成要素1102およびUCI制御構成要素1104は、プロセッサ1108上で実行され動作されるソフトウェア構成要素であってもよい。
【０１００】
本明細書で説明する方法は、説明したワイヤレス通信の方法または動作を実現するための1つまたは複数のステップまたはアクションを含む。ステップおよび/またはアクションは、特許請求の範囲から逸脱することなく、互いに入れ替えられ得、または削除されるかもしくはスキップされ得る。ステップまたはアクションの特定の順序が指定されない限り、特定のステップおよび/またはアクションの順序および/または使用は、特許請求の範囲の範囲から逸脱することなく修正され得る。
【０１０１】
本明細書で使用する場合、項目の列挙「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。
【０１０２】
本明細書で使用する「決定すること」という用語は、幅広い様々なアクションを包含する。たとえば、「決定すること」は、算出すること、計算すること、処理すること、導出すること、調査すること、ルックアップすること(たとえば、テーブル、データベースまたは別のデータ構造においてルックアップすること)、確認することなどを含んでよい。また、「決定すること」は、受信すること(たとえば、情報を受信すること)、アクセスすること(たとえば、メモリ内のデータにアクセスすること)などを含み得る。また、「決定すること」は、解決すること、選択すること、選出すること、確立することなどを含み得る。
【０１０３】
前述の説明は、いかなる当業者も、本明細書で説明した様々な態様を実践することが可能になるように提供される。これらの態様の様々な変更が、当業者には容易に明らかになり、本明細書において規定される一般原理は、他の態様に適用される場合がある。したがって、特許請求の範囲は、本明細書に示した態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。別段に明記されていない限り、「いくつか」という用語は、1つまたは複数を指す。当業者に知られているか、または後で知られることになる、本開示全体にわたって説明した様々な態様の要素に対するすべての構造的および機能的均等物は、参照により本明細書に明確に組み込まれ、特許請求の範囲によって包含されることが意図される。その上、本明細書で説明したものは、そのような開示が特許請求の範囲に明示的に記載されているかどうかにかかわらず、公に供されるものではない。請求項の要素は、要素が「のための手段」という句を使用して明確に列挙されていない限り、または方法クレームの場合、要素が「のためのステップ」という句を使用して列挙されていない限り、米国特許法112条第6段落の規定に基づいて解釈されるべきではない。
【０１０４】
上記で説明した方法の様々な動作は、対応する機能を実行することが可能な任意の適切な手段によって実行され得る。手段は、限定はしないが、回路、特定用途向け集積回路(ASIC)、またはプロセッサを含む、様々なハードウェアおよび/またはソフトウェア構成要素および/またはモジュールを含み得る。一般に、図に示される動作がある場合、それらの動作は、同様の番号を付された対応する相対物のミーンズプラスファンクション構成要素を有し得る。たとえば、図8に示す動作800は、図8Aに示す手段800Aに対応する。たとえば、送信するための手段および/または受信するための手段は、基地局110の送信プロセッサ420、TX MIMOプロセッサ430、受信プロセッサ438、もしくはアンテナ434、および/またはユーザ機器120の送信プロセッサ464、TX MIMOプロセッサ466、受信プロセッサ458、もしくはアンテナ452のうちの1つまたは複数を含み得る。加えて、決定するための手段、送信するための手段、符号化するための手段、シグナリングするための手段、確認するための手段、マッピングするための手段、および/または含めるための手段は、基地局110のコントローラ/プロセッサ440および/またはユーザ機器120のコントローラ/プロセッサ480などの1つまたは複数のプロセッサを含み得る。
【０１０５】
本開示に関連して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタ論理、ディスクリートハードウェア構成要素、または本明細書で説明する機能を実行するように設計されたそれらの任意の組合せを用いて実装または実行され得る。汎用プロセッサは、マイクロプロセッサであってよいが、代替として、プロセッサは、任意の市販のプロセッサ、コントローラ、マイクロコントローラ、または状態機械であってよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装されてもよい。
【０１０６】
ハードウェアにおいて実装される場合、例示的なハードウェア構成は、ワイヤレスノード内の処理システムを含み得る。処理システムは、バスアーキテクチャを用いて実装され得る。バスは、処理システムの特定の適用例および全体的な設計制約に応じて、任意の数の相互接続バスおよびブリッジを含んでよい。バスは、プロセッサ、機械可読媒体、およびバスインターフェースを含む様々な回路を互いにリンクさせ得る。バスインターフェースは、バスを介して、とりわけ、処理システムにネットワークアダプタを接続するために使用され得る。ネットワークアダプタは、PHYレイヤの信号処理機能を実装するために使用され得る。ユーザ端末120(図1参照)の場合、ユーザインターフェース(たとえば、キーパッド、ディスプレイ、マウス、ジョイスティックなど)がバスに接続されてもよい。バスは、タイミングソース、周辺装置、電圧調整器、電力管理回路などの様々な他の回路をリンクさせる場合があるが、これらの回路は当技術分野でよく知られており、したがって、これ以上は説明しない。プロセッサは、1つまたは複数の汎用プロセッサおよび/または専用プロセッサを用いて実装されてよい。例には、マイクロプロセッサ、マイクロコントローラ、DSPプロセッサ、およびソフトウェアを実行できる他の回路が含まれる。当業者は、特定の適用例とシステム全体に課せられた全体的な設計制約とに応じて処理システムに関する上述の機能を最も適切に実装するにはどうすべきかを認識するであろう。
【０１０７】
ソフトウェアにおいて実装される場合、機能は、1つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語と呼ばれるか、または他の名称で呼ばれるかどうかにかかわらず、命令、データ、またはそれらの任意の組合せを意味するように広く解釈されるべきである。コンピュータ可読媒体は、コンピュータ記憶媒体と、ある場所から別の場所へのコンピュータプログラムの伝達を容易にする任意の媒体を含む通信媒体の両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、かつその記憶媒体に情報を書き込むことができるようにプロセッサに結合されてよい。代替として、記憶媒体は、プロセッサと一体であってよい。例として、機械可読媒体は、送信線路、データによって変調された搬送波、および/またはワイヤレスノードとは別個の命令が記憶されたコンピュータ可読記憶媒体を含んでよく、これらはすべて、バスインターフェースを介してプロセッサによってアクセスされる場合がある。代替としてまたは追加として、機械可読媒体またはその任意の部分は、キャッシュおよび/または汎用レジスタファイルと同様にプロセッサに統合されてよい。機械可読記憶媒体の例は、例として挙げると、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せがあり得る。機械可読媒体はコンピュータプログラム製品内で具現化されてよい。
【０１０８】
ソフトウェアモジュールは、単一の命令または多くの命令を含み得、いくつかの異なるコードセグメントにわたって、異なるプログラム間で、また複数の記憶媒体にわたって、分散され得る。コンピュータ可読媒体は、いくつかのソフトウェアモジュールを含んでよい。ソフトウェアモジュールは、プロセッサなどの装置によって実行されると、処理システムに様々な機能を実行させる命令を含む。ソフトウェアモジュールは、送信モジュールと受信モジュールとを含んでよい。各ソフトウェアモジュールは、単一の記憶デバイス内に存在しても、または複数の記憶デバイスにわたって分散されてよい。例として、トリガイベントが発生したときに、ソフトウェアモジュールは、ハードドライブからRAMにロードされてよい。ソフトウェアモジュールの実行中、プロセッサは、アクセス速度を高めるために、命令のうちのいくつかをキャッシュにロードしてよい。1つまたは複数のキャッシュラインが、次いで、プロセッサによって実行されるように汎用レジスタファイルにロードされてよい。以下でソフトウェアモジュールの機能に言及する場合、そのような機能は、そのソフトウェアモジュールからの命令を実行するときにプロセッサによって実装されることが理解されよう。
【０１０９】
また、任意の接続が、適切にコンピュータ可読媒体と呼ばれる。たとえば、ソフトウェアが、同軸ケーブル、光ファイバーケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を含んでよい。加えて、他の態様の場合、コンピュータ可読媒体は、一時的コンピュータ可読媒体(たとえば、信号)を含んでよい。上記の組合せもコンピュータ可読媒体の範囲に含まれるべきである。
【０１１０】
したがって、いくつかの態様は、本明細書で提示した動作を実行するためのコンピュータプログラム製品を含んでよい。たとえば、そのようなコンピュータプログラム製品は、本明細書で説明した動作を実行するように1つまたは複数のプロセッサによって実行可能である命令が記憶された(および/または符号化された)コンピュータ可読媒体を含んでよい。
【０１１１】
さらに、本明細書で説明する方法および技法を実行するためのモジュールおよび/または他の適切な手段は、適用可能な場合、ユーザ端末および/または基地局によってダウンロードおよび/または別の方法で取得されてよいことを理解されたい。たとえば、そのようなデバイスは、本明細書で説明する方法を実行するための手段の転送を容易にするためにサーバに結合されてよい。代替的に、本明細書で説明する様々な方法は、ユーザ端末および/または基地局が記憶手段(たとえば、RAM、ROM、コンパクトディスク(CD)またはフロッピーディスクなどの物理的記憶媒体など)をデバイスに結合または提供すると様々な方法を取得することができるように、記憶手段を介して提供されてよい。さらに、本明細書で説明する方法および技法をデバイスに提供するための任意の他の適切な技法が利用されてよい。
【０１１２】
特許請求の範囲が上記で示した厳密な構成および構成要素に限定されないことを理解されたい。特許請求の範囲の範囲から逸脱することなく、上記で説明した方法および装置の構成、動作、および詳細において、様々な修正、変更、および変形が加えられてよい。
【符号の説明】
【０１１３】
100  ワイヤレスネットワーク
102a  マクロセル
102b  マクロセル
102c  マクロセル
102x  ピコセル
102y  フェムトセル
102z  フェムトセル
110  基地局(BS)
110a  BS
110b  BS
110c  BS、マクロBS
110r  中継局
110x  BS
110y  BS
110z  BS
120  UE、ユーザ機器、ユーザ端末
120r  UE
120x  UE
120y  UE
130  ネットワークコントローラ
200  分散型無線アクセスネットワーク(RAN)、ローカルアーキテクチャ、アーキテクチャ
202  アクセスノードコントローラ(ANC)
204  次世代コアネットワーク(NG-CN)
206  5Gアクセスノード
208  TRP、DU
210  次世代AN(NG-AN)
300  分散型RAN
302  集中型コアネットワークユニット(C-CU)
304  集中型RANユニット(C-RU)
306  DU
412  データソース
420  プロセッサ、送信プロセッサ
432  変調器、BS変調器/復調器
432a〜432t  変調器(MOD)
434  アンテナ
434a〜434t  アンテナ
436  MIMO検出器
438  プロセッサ、受信プロセッサ
439  データシンク
440  コントローラ/プロセッサ、プロセッサ
442  メモリ
444  スケジューラ
452  アンテナ
452a〜452r  アンテナ
454  復調器
454a〜454r  復調器(DEMOD)
456  MIMO検出器
458  プロセッサ、受信プロセッサ
462  データソース
464  プロセッサ、送信プロセッサ
466  プロセッサ、TX MIMOプロセッサ
480  コントローラ/プロセッサ、プロセッサ
500  図
505-a  第1のオプション
505-b  第2のオプション
510  無線リソース制御(RRC)レイヤ
515  パケットデータコンバージェンスプロトコル(PDCP)レイヤ
520  無線リンク制御(RLC)レイヤ
525  媒体アクセス制御(MAC)レイヤ
530  物理(PHY)レイヤ
600  フレームフォーマット
800  動作
800A  手段
900  リソースマッピング
1000  リソースマッピング
1100  通信デバイス
1102  UCIアップリンクリソース決定構成要素
1104  UCI制御構成要素
1108  プロセッサ
1110  コンピュータ可読媒体/メモリ
1112  トランシーバ
1114  処理システム
1120  アンテナ
1124  バス
【図１】
2020533873.tif 000003
【図２】
2020533873.tif 000004
【図３】
2020533873.tif 000005
【図４】
2020533873.tif 000006
【図５】
2020533873.tif 000007
【図６】
2020533873.tif 000008
【図７Ａ】
2020533873.tif 000009
【図７Ｂ】
2020533873.tif 000010
【図８】
2020533873.tif 000011
【図８Ａ】
2020533873.tif 000012
【図９】
2020533873.tif 000013
【図１０】
2020533873.tif 000014
【図１１】
2020533873.tif 000015
【国際調査報告】
2020533873.tif 000016
2020533873.tif 000017
2020533873.tif 000018
2020533873.tif 000019
2020533873.tif 000020